(57)【要約】【課題】ユーザが両面ディスプレーを利用して２つ以上の作業を便利に行う電子装置の制御方法及びその装置を提供する。【解決手段】第１スクリーンと第２スクリーンを含む両面透明ディスプレーを使用する電子装置のマルチタスキング制御方法は、第１アプリケーションを実行中の第１スクリーンの第１方向を第２方向に反転させるか、第２スクリーンの第２方向を第１方向に反転させる第１ジェスチャーを検出する過程と、第１ジェスチャーが検出される際、第２方向が第１方向に反転された第２スクリーンに第１アプリケーションリストを表示する過程と、第１アプリケーションリストのうち第２アプリケーションを選択するためのタッチを検出する過程と、タッチされた第２アプリケーションを実行して第１方向の第２スクリーンに表示する過程と、を含む。【選択図】図７
2014139785.tif 000002
【特許請求の範囲】
【請求項１】
両面ディスプレーを使用する電子装置のマルチタスキング制御方法において、
実行中の第１アプリケーションを表示する第１スクリーンを第１方向から第２方向に反転させるか、第２スクリーンを前記第２方向から前記第１方向に反転させる第１ジェスチャーを検出する過程と、
前記第１ジェスチャーが検出される際、前記第１方向に反転された前記第２スクリーンに第１アプリケーションリスト、あるいは関連する１つのアプリケーションを表示する過程と、
前記第１アプリケーションリストのうち第２アプリケーションを選択するためのタッチを検出する過程と、
タッチされた前記第２アプリケーションを実行して前記第２スクリーンに表示する過程と、を含む方法。
【請求項２】
前記実行中の第２アプリケーションを表示する第２スクリーンを前記第１方向から前記第２方向に反転させるか、前記第１スクリーンを前記第２方向から前記第１方向に反転させる第２ジェスチャーを検出する過程と、
前記第２ジェスチャーが検出される際、前記第２方向から前記第１方向に再反転された前記第１スクリーンに第２アプリケーションリストを表示する過程と、を更に含む請求項１に記載の方法。
【請求項３】
前記実行中の第２アプリケーションを表示する第２スクリーンを前記第１方向から前記第２方向に反転させるか、前記第１スクリーンを前記第２方向から前記第１方向に反転させる第２ジェスチャーを検出する過程と、
前記第２ジェスチャーが検出される際、前記実行中の第１アプリケーションを前記第１スクリーンに表示する過程と、を更に含む請求項１に記載の方法。
【請求項４】
前記第１又は前記第２アプリケーションリストを決定する過程を更に含む請求項１又は請求項２に記載の方法。
【請求項５】
前記アプリケーションリストは、
バックグラウンドで実行中のアプリケーションを示すマルチタスキングリスト、以前に実行されていたアプリケーションを示すヒストリリスト、全体アプリケーションリストのうちの一つであることを特徴とする請求項４に記載の方法。
【請求項６】
前記第１スクリーンは前記第２スクリーンと対向して配置されることを特徴とする請求項１に記載の方法。
【請求項７】
前記第１スクリーンが活性化される際に前記第２スクリーンは非活性化され、
前記第２スクリーンが活性化される際に前記第１スクリーンは非活性化されることを特徴とする請求項１に記載の方法。
【請求項８】
両面ディスプレーを使用する電子装置のマルチタスキング制御方法において、
実行中の第１アプリケーションを表示する第１スクリーンを第１方向から第２方向に反転させるか、第２スクリーンを前記第２方向から前記第１方向に反転させるジェスチャーを検出する過程と、
前記ジェスチャーが検出される際、前記第１アプリケーションと関連する第２アプリケーションを実行して前記第２スクリーンに表示する過程と、を更に含む方法。
【請求項９】
前記第１スクリーンは前記第２スクリーンと対向して配置されることを特徴とする請求項８に記載の方法。
【請求項１０】
前記第１スクリーンが活性化される際に前記第２スクリーンは非活性化され、
前記第２スクリーンが活性化される際に前記第１スクリーンは非活性化されることを特徴とする請求項８に記載の方法。
【請求項１１】
両面ディスプレーを使用する電子装置のマルチタスキング制御方法において、
実行中の第１アプリケーションを表示する第１スクリーンを第１方向から第２方向に反転させるか、第２スクリーンを前記第２方向から前記第１方向に反転させるジェスチャーを検出する過程と、
前記ジェスチャーが検出される際にバックグラウンドで実行中のアプリケーションの個数を確認する過程と、
前記バックグラウンドで実行中のアプリケーションの個数が一つである場合、前記バックグラウンドで実行中のアプリケーションを前記第２スクリーンに表示する過程と、を含む記載の方法。
【請求項１２】
前記バックグラウンドで実行中のアプリケーションの個数が一つではない場合、
前記第２方向から前記第１方向に反転された前記第２スクリーンにアプリケーションリストを表示する過程と、
前記アプリケーションリストのうち一つのアプリケーションを選択するためのタッチを検出する過程と、
タッチされた前記アプリケーションを実行して前記第２スクリーンに表示する過程と、を更に含む請求項１１に記載の方法。
【請求項１３】
第１スクリーンと、
第２スクリーンと、
一つ以上のプロセッサと、
メモリと、
前記メモリに記憶されて前記一つ以上のプロセッサによって実行されるように構成される一つ以上のプログラムを含む電子装置であって、
前記プログラムは、
実行中の第１アプリケーションを表示する第１スクリーンを第１方向から第２方向に反転させるか、第２スクリーンを前記第２方向から前記第１方向に反転させる第１ジェスチャーを検出し、
前記第１ジェスチャーが検出される際、前記第１方向に反転された前記第２スクリーンに第１アプリケーションリスト、あるいは関連する１つのアプリケーションを表示し、
前記第１アプリケーションリストのうち第２アプリケーションを選択するためのタッチを検出し、
タッチされた前記第２アプリケーションを実行して前記第２スクリーンに表示する命令を含む電子装置。
【請求項１４】
前記プログラムは、前記第２アプリケーションを実行中の第２スクリーンを前記第１方向から前記第２方向に反転させるか、前記第１スクリーンを前記第２方向から前記第１方向に反転させる第２ジェスチャーを検出し、
前記第２ジェスチャーが検出される際、前記第２方向が前記第１方向に再反転された前記第１スクリーンに第２アプリケーションリストを表示する命令を更に含む請求項１３に記載の電子装置。
【請求項１５】
前記プログラムは、前記第２アプリケーションを実行中の第２スクリーンを前記第１方向から前記第２方向に反転させるか、前記第１スクリーンを前記第２方向から前記第１方向に反転させる第２ジェスチャーを検出し、
前記第２ジェスチャーが検出される際、前記実行中の第１アプリケーションを前記第１スクリーンに表示する命令を更に含む請求項１３に記載の電子装置。
【請求項１６】
前記プログラムは、前記第１又は前記第２アプリケーションリストを決定する命令更に含む請求項１３又は請求項１４に記載の電子装置。
【請求項１７】
前記アプリケーションリストは、
バックグラウンドで実行中のアプリケーションを示すマルチタスキングリスト、以前に実行されていたアプリケーションを示すヒストリリスト、全体アプリケーションリストのうちの一つであることを特徴とする請求項１６に記載の電子装置。
【請求項１８】
前記第１スクリーンは前記第２スクリーンと対向して配置されることを特徴とする請求項１３に記載の電子装置。
【請求項１９】
前記第１スクリーンが活性化される際に前記第２スクリーンは非活性化され、
前記第２スクリーンが活性化される際に前記第１スクリーンは非活性化されることを特徴とする請求項１３に記載の電子装置。
【請求項２０】
第１スクリーンと、
第２スクリーンと、
一つ以上のプロセッサと、
メモリと、
前記メモリに記憶されて前記一つ以上のプロセッサによって実行されるように構成される一つ以上のプログラムを含む電子装置であって、
前記プログラムは、
実行中の第１アプリケーションを表示する第１スクリーンを第１方向から第２方向に反転させるか、第２スクリーンを前記第２方向から前記第１方向に反転させるジェスチャーを検出し、
前記ジェスチャーが検出される際、前記第１アプリケーションと関連する第２アプリケーションを実行して前記第２スクリーンに表示する命令を含む電子装置。
【請求項２１】
前記第１スクリーンは前記第２スクリーンと対向して配置されることを特徴とする請求項２０に記載の電子装置。
【請求項２２】
前記第１スクリーンが活性化される際に前記第２スクリーンは非活性化され、
前記第２スクリーンが活性化される際に前記第１スクリーンは非活性化されることを特徴とする請求項２０に記載の電子装置。
【請求項２３】
第１スクリーンと、
第２スクリーンと、
一つ以上のプロセッサと、
メモリと、
前記メモリに記憶されて前記一つ以上のプロセッサによって実行されるように構成される一つ以上のプログラムを含む電子装置であって、
前記プログラムは、
実行中の第１アプリケーションを表示する第１スクリーンを第１方向から第２方向に反転させるか、第２スクリーンを前記第２方向から前記第１方向に反転させるジェスチャーを検出し、
前記ジェスチャーが検出される際にバックグラウンドで実行中のアプリケーションの個数を確認し、
前記バックグラウンドで実行中のアプリケーションの個数が一つである場合、前記バックグラウンドで実行中のアプリケーションを前記第２スクリーンに表示する命令を含む電子装置。
【請求項２４】
前記プログラムは、
前記バックグラウンドで実行中のアプリケーションの個数が一つではない場合、
前記第２方向が前記第１方向に反転された前記第２スクリーンにアプリケーションリストを表示し、
前記アプリケーションリストのうち一つのアプリケーションを選択するためのタッチを検出し、
前記タッチされたアプリケーションを実行して前記第１方向の第２スクリーンに表示する命令を更に含む請求項２３に記載の電子装置。
【請求項２５】
両面ディスプレーを使用する電子装置のマルチタスキング制御方法において、
前記電子装置の前記両面ディスプレーが反転される方向を検出する過程と、
前記電子装置の前記両面ディスプレーが反転される方向に応じて、前記電子装置の前記両面ディスプレーのうちの一つに特定アプリケーションを表示する過程と、を含む方法。
【請求項２６】
前記電子装置の前記両面ディスプレーが反転される方向は、
左側から右側方向に回転される第１方向、右側から左側に回転される第２方向、上側から下側に回転される第３方向、そして下側から上側に回転される第４方向のうちの一つであることを含む請求項１または２５に記載の方法。
【請求項２７】
前記電子装置の両面ディスプレーのうちの一つに特定アプリケーションを表示する過程は、
第１方向に前記両面ディスプレーが反転される際に最近実行されたアプリケーションリストを表示する過程と、
前記最近実行されたアプリケーションリストのうち一つのアプリケーションを選択して表示する過程と、を含む、請求項２５に記載の方法。
【請求項２８】
前記電子装置の両面ディスプレーのうちの一つに特定アプリケーションを表示する過程は、
第２方向に前記両面ディスプレーが反転される際にバックグラウンドで実行中のアプリケーションリストを表示する過程と、
前記バックグラウンドで実行中のアプリケーションリストのうち一つのアプリケーションを選択して表示する過程と、を含む、
請求項２５に記載の方法。
【請求項２９】
前記電子装置の両面ディスプレーのうちの一つに特定アプリケーションを表示する過程は、
第３方向に前記両面ディスプレーが反転される際に全体アプリケーションリストを表示する過程と、
前記全体アプリケーションリストのうち一つのアプリケーションを選択して表示する過程と、を含む、
請求項２５に記載の方法。
【請求項３０】
前記電子装置の両面ディスプレーのうちの一つに特定アプリケーションを表示する過程は、
第１方向に前記両面ディスプレーが反転される際に第１アプリケーションを選択して表示する過程と、
第２方向に前記両面ディスプレーが反転される際に第２アプリケーションを選択して表示する過程と、
第３方向に前記両面ディスプレーが反転される際に第３アプリケーションを選択して表示する過程と、
第４方向に前記両面ディスプレーが反転される際に第４アプリケーションを選択して表示する過程と、
のうちの少なくとも１つの過程を含み、
前記第１乃至前記第４アプリケーションは、最近実行されたアプリケーション、バックグラウンドで実行中のアプリケーション、実行されていないアプリケーションのうちの一つである、請求項２５に記載の方法。
【発明の詳細な説明】
【背景技術】
【０００１】
本発明は一般に両面ディスプレーを使用する電子装置に関するものであり、特に両面ディスプレーを使用する電子装置のマルチタスキング制御方法及びその装置に関するものである。
【０００２】
電子装置のハードウェアの発達によって、即ち、処理速度とメモリ容量の増大によって一つの電子装置で多様な作業を同時にすること（以下、「マルチタスキング（ｍｕｌｔｉ−ｔａｓｋｉｎｇ）」と称する）が可能となった。
【０００３】
例えば、一つの電子装置内で多数個のウィンドウを作った後、それぞれのウィンドウに文書編集、通信、音楽、表計算プログラムを同時に開いて作業することができ、それぞれの出力も簡単な方法で他のウィンドウに移すことができる。
【０００４】
図１は、従来技術による携帯用通信端末機でマルチタスキングを制御する例を示す図である。
【０００５】
図１（ａ）乃至（ｂ）を参照すると、ユーザが２つ以上のアプリケーションを実行してマルチタスキングを行う際、ソフトキー又はハードウェアキーで具現化されるホームキー１００を長く押すか、二回押すと（ａ）、最近使用した６つのアプリケーションに対応するアイコンが表示される（ｂ）。図１（ｂ）で６つの最近使用したアプリケーションが表示されるが、６つ以上又は６つ以下の最近使用したアプリケーションが表示されてもよいことはもちろんである。
【０００６】
別の実装として、最近使用したアプリケーションの代わりに実行中のアプリケーションに対応するアイコンが表示されてもよい。
【０００７】
一方、技術の発達と共に多様な形態のディスプレーに対する研究が続けられており、そのような研究を介して両面ディスプレー技術が携帯用通信端末機やゲーム装置などのような電子装置に適用されて使用されている。両面ディスプレー装置は両側の画面で入出力が可能である。
【先行技術文献】
【特許文献】
【０００８】
韓国公開特許第１０−２００８−０１１２９８９号
【発明の概要】
【発明が解決しようとする課題】
【０００９】
従来の携帯用通信端末機のマルチタスキング作業は、ユーザが単一ディスプレーで２つ以上のウィンドウを開いて作業をするか、単一ディスプレーで特定キー（例えば、図１（ａ）のホームキー）を利用して実行中のアプリケーションリストを表示して該実行中のアプリケーションを選択して作業を進めていた。しかし、当該技術において、両面ディスプレーの利用はまだ考慮されていない。
【００１０】
よって、両面ディスプレーの活用範囲が多様となる環境において、両面ディスプレーを考慮した効率的なマルチタスキング制御方法及びその装置が必要である。
【００１１】
本発明の目的は、両面ディスプレーを使用する電子装置のマルチタスキング制御方法及びその装置を提供することにある。
【００１２】
本発明の他の目的は、両面ディスプレーを使用する電子装置のマルチタスキング制御方法及びその装置を提供することにある。
【００１３】
本発明のさらに他の目的は、両面ディスプレーを使用する電子装置でユーザの利便性を向上するためのマルチタスキング作業を行うための方法及びその装置を提供することにある。
【課題を解決するための手段】
【００１４】
上述した目的を達成するための本発明の第１態様によると、両面ディスプレーを使用する電子装置のマルチタスキング制御方法において、実行中の第１アプリケーションを表示する第１スクリーンを第１方向から第２方向に反転させるか、第２スクリーンを第２方向から第１方向に反転させる第１ジェスチャーを検出する過程と、第１ジェスチャーが検出される際、第１方向に反転された第２スクリーンに第１アプリケーションリストを表示する過程と、第１アプリケーションリストのうち第２アプリケーションを選択するためのタッチを検出する過程と、タッチされた第２アプリケーションを実行して第２スクリーンに表示する過程と、を含む。
【００１５】
上述した目的を達成するための本発明の第２態様によると、両面ディスプレーを使用する電子装置のマルチタスキング制御方法において、実行中の第１アプリケーションを表示する第１スクリーンを第１方向から第２方向に反転させるか、第２スクリーンを第２方向から第１方向に反転させるジェスチャーを検出する過程と、ジェスチャーが検出される際、第１アプリケーションと関連する第２アプリケーションを実行して第２スクリーンに表示する過程と、を含む。
【００１６】
上述した目的を達成するための本発明の第３態様によると、両面ディスプレーを使用する電子装置のマルチタスキング制御方法において、実行中の第１アプリケーションを表示する第１スクリーンを第１方向から第２方向に反転させるか、第２スクリーンを第２方向から第１方向に反転させるジェスチャーを検出する過程と、ジェスチャーが検出される際、バックグラウンドで実行中のアプリケーションの個数を確認する過程と、バックグラウンドで実行中のアプリケーションの個数が一つである場合、バックグラウンドで実行中のアプリケーションを第２スクリーンに表示する過程と、を含む。
【００１７】
上述した目的を達成するための本発明の第４態様によると、第１スクリーンと、第２スクリーンと、一つ以上のプロセッサと、メモリと、メモリに記憶されて一つ以上のプロセッサによって実行されるように構成される一つ以上のプログラムを含む電子装置であって、プログラムは、実行中の第１アプリケーションを表示する第１スクリーンを第１方向から第２方向に反転させるか、第２スクリーンを第２方向から第１方向に反転させる第１ジェスチャーを検出し、第１ジェスチャーが検出される際、第１方向に反転された第２スクリーンに第１アプリケーションリストを表示し、第１アプリケーションリストのうち第２アプリケーションを選択するためのタッチを検出し、タッチされた第２アプリケーションを実行して第２スクリーンに表示する命令を含む。
【００１８】
上述した目的を達成するための本発明の第５態様によると、第１スクリーンと、第２スクリーンと、一つ以上のプロセッサと、メモリと、メモリに記憶されて一つ以上のプロセッサによって実行されるように構成される一つ以上のプログラムを含む電子装置であって、プログラムは、実行中の第１アプリケーションを表示する第１スクリーンを第１方向から第２方向に反転させるか、第２スクリーンを第２方向から第１方向に反転させるジェスチャーを検出し、ジェスチャーが検出される際、第１アプリケーションと関連する第２アプリケーションを実行して第２スクリーンに表示する命令を含む。
【００１９】
上述した目的を達成するための本発明の第６態様によると、第１スクリーンと、第２スクリーンと、一つ以上のプロセッサと、メモリと、メモリに貯蔵されて一つ以上のプロセッサによって実行されるように構成される一つ以上のプログラムを含む電子装置であって、プログラムは、実行中の第１アプリケーションを表示する第１スクリーンを第１方向から第２方向に反転させるか第２スクリーンを第２方向から第１方向に反転させるジェスチャーを検出し、ジェスチャーが検出される際、バックグラウンドで実行中のアプリケーションの個数を確認し、バックグラウンドで実行中のアプリケーションの個数が一つである場合、バックグラウンドで実行中のアプリケーションを第２スクリーンに表示する命令を含む。
【図面の簡単な説明】
【００２０】
【図１】従来技術によるマルチタスキング実行画面を示す図である。
【図２Ａ】本発明による両面ディスプレーを使用する電子装置の例を示す図である。
【図２Ｂ】本発明による両面ディスプレーを使用する電子装置の例を示す図である。
【図３Ａ】本発明の第１実施形態による両面ディスプレーを使用する電子装置のマルチタスキング制御画面を示す図である。
【図３Ｂ】本発明の第１実施形態による両面ディスプレーを使用する電子装置のマルチタスキング制御画面を示す図である。
【図４Ａ】本発明の第２実施形態による両面ディスプレーを使用する電子装置のマルチタスキング制御画面を示す図である。
【図４Ｂ】本発明の第２実施形態による両面ディスプレーを使用する電子装置のマルチタスキング制御画面を示す図である。
【図５】本発明の第３実施形態による両面ディスプレーを使用する電子装置のマルチタスキング制御画面を示す図である。
【図６】本発明の第４実施形態による両面ディスプレーを使用する電子装置のマルチタスキング制御画面を示す図である。
【図７】本発明の第１実施形態による両面ディスプレーを使用する電子装置のマルチタスキング制御フローチャートを示す図である。
【図８】本発明の第２実施形態による両面ディスプレーを使用する電子装置のマルチタスキング制御フローチャートを示す図である。
【図９】本発明の第３実施形態による両面ディスプレーを使用する電子装置のマルチタスキング制御フローチャートを示す図である。
【図１０】本発明の第４実施形態による両面ディスプレーを使用する電子装置のマルチタスキング制御フローチャートを示す図である。
【図１１】本発明の実施例による電子装置の構成図である。
【発明を実施するための形態】
【００２１】
以下、本発明の好ましい実施形態を添付した図面を参照して詳細に説明する。そして、本発明を説明するに当たって、関連する公知機能或いは構成に対する具体的な説明が本発明の要旨を不明確にする恐れがあると判断される場合、その詳細な説明を省略する。そして、後述する用語は本発明における機能を考慮して定義されたものであり、これはユーザ、オペレータの意図又は慣例などによって異なることがある。よって、その定義は本明細書全般にかかる内容に基づいてなされるべきである。
【００２２】
以下、本発明は両面ディスプレーを使用する電子装置のマルチタスキング制御方法及びその装置について説明する。
【００２３】
図２Ａ乃至図２Ｂは、本発明による両面ディスプレーを使用する電子装置の例を示す図である。
【００２４】
図２Ａを参照すると、両面接着方式の電子装置２００で第１ディスプレー２１０に第１方向２１２に第１画面が出力され、第２ディスプレー２１２に第２方向２２２に第２画面が出力される。
【００２５】
この際、両面接着方式の電子装置２００で第１画面２１０と第２画面２２０とに画像が同時に出力されて表示される。別の実装として、第１画面２１０が出力される際に第２画面２２０は非活性化されて出力されず、第２画面２１２が出力される際に第１画面２１０は非活性化されて出力されなくてもよい。
【００２６】
図２Ｂを参照すると、両面ディスプレーは透明ディスプレーで具現化される。透明ディスプレーの場合、第１方向からスクリーンを見たとき、スクリーンの前面に特定画面が表示され、第２方向からスクリーンを見たときスクリーンの裏面に特定画面が透過されて反対方向に表示される。
【００２７】
よって、透明ディスプレーの場合、互いに異なる画面が前面(第１方向の画面)と裏面（第２方向の画面）に同時に出力されない。
【００２８】
以下、図２Ａ乃至図２Ｂの両面ディスプレーを考慮したマルチタスキング方法について説明する。
【００２９】
図３Ａ（ａ）乃至図３Ｂ（ｅ）は、本発明の第１実施形態による両面ディスプレーを使用する電子装置のマルチタスキング制御画面を示す図である。
【００３０】
図３Ａ（ａ）を参照すると、前面ディスプレー３００を介してメッセージ伝送アプリケーション３０２が実行される間にユーザによって左右方向に前面ディスプレー３００と裏面ディスプレー３１０がひっくり返されると（３０４）、図３Ａ（ｂ）のように裏面ディスプレー３１０に最近実行されたアプリケーションリスト３１２が表示される。
【００３１】
別の実装として、ユーザによって上下方向に前面ディスプレー３００と裏面ディスプレー３１０がひっくり返されると（３０４）、図３Ａ（ｂ）のように裏面ディスプレー３１０に最近実行されたアプリケーションリスト３１２が表示されてもよい。
【００３２】
また別の実装として、最近実行されたアプリケーションリストの代わりにバックグラウンドで実行中のアプリケーションリスト又は全体アプリケーションリストが表示されてもよい。次に、図３Ａ（ｃ）のように、裏面ディスプレー３１０に表示されたアプリケーションリストから該当アプリケーション(例えば、カメラアプリケーション３１４）がユーザによってタッチされると、図３Ｂ（ｄ）のようにカメラアプリケーションが実行されて該当画面が裏面ディスプレー３１０に表示される。例えば、プレビュー（ｐｒｅｖｉｅｗ）画面３１６が表示される。その後、ユーザによって左右方向に裏面ディスプレー３１０と前面ディスプレー３００が更にひっくり返されると（３１８）、図３Ｂ（ｅ）のように前面ディスプレー３００に最近実行されたアプリケーションリスト３２０が表示される。別の実装として、最近実行されたアプリケーションリストの代わりにバックグラウンドで実行中のアプリケーションリスト又は全体アプリケーションリストが表示されてもよい。
【００３３】
一方、前面ディスプレー３００と裏面ディスプレー３１０とに画像が同時に出力されて表示されてもよく、別の実装として、前面ディスプレー３００において画像が表示される際に裏面ディスプレー３１０は非活性化されて画像が表示されず、裏面ディスプレー３１０において画像が表示される際に前面ディスプレー３００は非活性化されて画像が表示されなくてもよい。
【００３４】
図４Ａ（ａ）乃至図４Ｂ（ｅ）は、本発明の第２実施形態による両面ディスプレーを使用する電子装置のマルチタスキング制御画面を示す図である。
【００３５】
図４Ａ（ａ）を参照すると、前面ディスプレー４００を介してメッセージ伝送アプリケーション４０２が実行される間にユーザによって左右方向に前面ディスプレー４００と裏面ディスプレー４１０がひっくり返されると（４０４）、図４Ａ（ｂ）のように裏面ディスプレー４１０に最近実行されたアプリケーションリスト４１２が表示される。
【００３６】
別の実装として、ユーザによって上下方向に前面ディスプレー４００と裏面ディスプレー４１０がひっくり返されると（４０４）、図４Ａ（ｂ）のように裏面ディスプレー４１０に最近実行されたアプリケーションリスト４１２が表示されてもよい。
【００３７】
別の実装として、最近実行されたアプリケーションリストの代わりにバックグラウンドで実行中のアプリケーションリスト又は全体アプリケーションリストが表示されてもよい。次に、図４Ａ（ｃ）のように、裏面ディスプレー４１０に表示されたアプリケーションリストから該当アプリケーション(例えば、カメラアプリケーション４１４）がユーザによってタッチされると、図４Ｂ（ｄ）のようにカメラアプリケーションが実行されて該当画面が裏面ディスプレー４１０に表示される。例えば、プレビュー（ｐｒｅｖｉｅｗ）画面４１６が表示される。その後、ユーザによって左右方向に裏面ディスプレー４１０と前面ディスプレー４００が更にひっくり返されると（４１８）、図４Ｂ（ｅ）のように前面ディスプレー４００に以前に実行されていたメッセージ伝送アプリケーション４０２が表示される。
【００３８】
一方、前面ディスプレー４００と裏面ディスプレー４１０とに画像が同時に出力されて表示されてもよく、別の実装として前面ディスプレー４００において画像が表示される際に裏面ディスプレー４１０は非活性化されて画像が表示されず、裏面ディスプレー４１０において画像が表示される際に前面ディスプレー４００は非活性化されて画像が表示されなくてもよい。
【００３９】
図５（ａ）乃至図５（ｂ）は、本発明の第３実施形態による両面ディスプレーを使用する電子装置のマルチタスキング制御画面を示す図である。
【００４０】
図５（ａ）を参照すると、前面ディスプレー５００を介してカメラアプリケーションが実行される間にユーザによって上下方向に前面ディスプレー５００と裏面ディスプレー５２０がひっくり返されると（５１０）、図５（ｂ）のように裏面ディスプレー５２０にカメラアプリケーションと関連するギャラリーアプリケーションが実行されて表示される。ギャラリーアプリケーションは撮影されたイメージを管理しユーザに表示する役割を果たす。
【００４１】
別の実装として、ユーザによって左右方向に前面ディスプレー５００と裏面ディスプレー５２０がひっくり返されると（５１０）、図５（ｂ）のように裏面ディスプレー５２０にカメラアプリケーションと関連するギャラリーアプリケーションが実行されて表示されてもよい。
【００４２】
一方、前面ディスプレー５００と裏面ディスプレー５２０とに画像が同時に出力されて表示されてもよく、別の実装として前面ディスプレー５００に画像が表示される際に裏面ディスプレー５２０は非活性化されて画像が表示されず、裏面ディスプレー５２０に画像が表示される際に前面ディスプレー５００は非活性化されて画像が表示されなくてもよい。
【００４３】
図６（ａ）乃至図６（ｂ）は、本発明の第４実施形態による両面ディスプレーを使用する電子装置のマルチタスキング制御画面を示す図である。
【００４４】
図６（ａ）を参照すると、前面ディスプレー６００を介してメッセージ伝送アプリケーションが実行される間にユーザによって左右方向に又は上下方向に前面ディスプレー６００と裏面ディスプレー６１０がひっくり返されると（６２０）、図６（ｂ）のように裏面ディスプレー６１０にバックグラウンドで実行中のアプリケーション（例えば、電話をかけるアプリケーション）が表示される。バックグラウンドで実行中のアプリケーションが一つである場合、アプリケーションリストを表示せずにすぐに実行中のアプリケーションを表示する。一方、バックグラウンドで実行中のアプリケーションが一つ以上である場合、図３Ａ（ｂ）のように実行中のアプリケーションリストを表示する。
【００４５】
一方、前面ディスプレー６００と裏面ディスプレー６１０とに画像が同時に出力されて表示されてもよく、別の実装として前面ディスプレー６００において画像が表示される際に裏面ディスプレー６１０は非活性化されて画像が表示されず、裏面ディスプレー６１０において画像が表示される際に前面ディスプレー５００は非活性化されて画像が表示されなくてもよい。
【００４６】
図３Ａ（ａ）乃至図６Ｂ（ｂ）は、上下方向又は左右方向によって最近実行されたアプリケーションリスト、バックグラウンドで実行中のアプリケーションリスト又は全体アプリケーションリストが表示される。別の実装として、電子装置のスクリーンを反転させる方向に応じて多数のアプリケーションリストを表示してもよい。例えば、右側回転を介して前面ディスプレーと裏面ディスプレーが反転される際には最近実行されていたアプリケーションリストを表示し、左側回転を介して前面ディスプレーと裏面ディスプレーが反転される際にはバックグラウンドで実行中のアプリケーションリストを表示し、上側回転を介して前面ディスプレーと裏面ディスプレーが反転される際には全体アプリケーションリストを表示する。
【００４７】
また、別の実装として、電子装置のスクリーンを反転させる方向に応じて該当アプリケーションを選択するか実行して表示してもよい。例えば、右側回転を介して前面ディスプレーと裏面ディスプレーが反転される際には第１アプリケーションを反転された前面ディスプレーを介して表示し、左側回転を介して前面ディスプレーと裏面ディスプレーが反転される際には第２アプリケーションを反転された前面ディスプレーを介して表示し、上側回転を介して前面ディスプレーと裏面ディスプレーが反転される際には第３アプリケーションを反転された前面ディスプレーを介して表示し、下側回転を介して前面ディスプレーと裏面ディスプレーが反転される際には第４アプリケーションを反転された前面ディスプレーを介して表示し、ここで、反転された前面ディスプレーは電子装置が回転される際にユーザが見ることができるディスプレーを意味し、第１乃至第４アプリケーションは最近実行されたアプリケーションであるが、バックグラウンドで実行中のアプリケーションであるか実行されていないアプリケーションであってもよい。
【００４８】
本発明の多様な実施形態において、右側方向、左側方向、上側方向、そして下側方向に限らずに４つの方向より少ないか多い方向に区分して該当アプリケーションとマッピングさせてもよい。
【００４９】
図７は、本発明の第１実施形態による両面ディスプレーを使用する電子装置のマルチタスキング制御フローチャートを示す図である。
【００５０】
図７を参照すると、電子装置はステップ７００において第１アプリケーションを実行中の第１スクリーンの第１方向を第２方向に反転させるか、第２スクリーンの第２方向を第１方向に反転させる第１ジェスチャーを検出する。即ち、図３Ａ（ａ）のように電子装置はユーザによって左右方向に前面ディスプレーと裏面ディスプレーがひっくり返されることを検出する。
【００５１】
次に、電子装置は、ステップ７０２において第１ジェスチャーが検出される際、図３Ａ（ｂ）のように第２方向が第１方向に反転された第２スクリーンに第１アプリケーションリストを表示する。第１アプリケーションリストは、バックグラウンドで実行中のアプリケーションを示すマルチタスキングリスト、以前に実行されていたアプリケーションを示すヒストリリスト、全体アプリケーションリストのうちの一つである。
【００５２】
次に、電子装置は、ステップ７０４において第１アプリケーションリストのうち第２アプリケーションを選択するためのタッチを感知し、ステップ７０６においてタッチされた第２アプリケーションを実行して第１方向の第２スクリーンに表示する。
【００５３】
次に、電子装置は、ステップ７０８において第２アプリケーションを実行中の第２スクリーンの第１方向を第２方向に反転させ、第１スクリーンの第２方向を第１方向に反転させる第２ジェスチャーを検出する。
【００５４】
次に、電子装置は、ステップ７１０において第２ジェスチャーが検出される際、第２方向が第１方向に再反転された第１スクリーンに第２アプリケーションリストを表示する。第２アプリケーションリストは、バックグラウンドで実行中のアプリケーションを示すマルチタスキングリスト、以前に実行されていたアプリケーションを示すヒストリリスト、全体アプリケーションリストのうちの一つである。
【００５５】
以上で、第１実施形態の手順を終了する。
【００５６】
図８は、本発明の第２実施形態による両面ディスプレーを使用する電子装置のマルチタスキング制御フローチャートを示す図である。
【００５７】
図８を参照すると、電子装置は、ステップ８００において第１アプリケーションを実行中の第１スクリーンの第１方向を第２方向に反転させ、第２スクリーンの第２方向を第１方向に反転させる第１ジェスチャーを検出する。即ち、図４Ａ（ａ）のように、電子装置は、ユーザによって左右方向に前面ディスプレーと裏面ディスプレーがひっくり返されることを検出する。
【００５８】
次に、電子装置は、ステップ８０２において第１ジェスチャーが検出される際、図４Ａ（ｂ）のように第２方向が第１方向に反転された第２スクリーンに第１アプリケーションリストを表示する。第１アプリケーションリストは、バックグラウンドで実行中のアプリケーションを示すマルチタスキングリスト、以前に実行されていたアプリケーションを示すヒストリリスト、全体アプリケーションリストのうちの一つである。
【００５９】
好ましくは、もし第１アプリケーションリストがヒストリリストである場合、実行中の第１アプリケーションは第１アプリケーションリストに含まれない。
【００６０】
次に、電子装置は、ステップ８０４において第１アプリケーションリストのうち第２アプリケーションを選択するためのタッチを感知し、ステップ８０６においてタッチされた第２アプリケーションを実行して第１方向の第２スクリーンに表示する。
【００６１】
次に、電子装置は、ステップ８０８において第２アプリケーションを実行中の第２スクリーンの第１方向を第２方向に反転させ、第１スクリーンの第２方向を第１方向に反転させる第２ジェスチャーを検出する。
【００６２】
次に、電子装置は、ステップ８１０において第２ジェスチャーが検出される際、以前に実行されていたアプリケーションを第１方向の第１スクリーンに表示する。
【００６３】
以上で、第２実施形態の手順を終了する。
【００６４】
図９は、本発明の第３実施形態による両面ディスプレーを使用する電子装置のマルチタスキング制御フローチャートを示す図である。
【００６５】
図９を参照すると、電子装置は、ステップ９００において第１方向を介して、即ち、第１スクリーンを介して第１アプリケーションを実行する。
【００６６】
次に、電子装置は、ステップ９０２において第１アプリケーションを実行中の第１スクリーンの第１方向を第２方向に反転させ、第２スクリーンの第２方向を第１方向に反転させるジェスチャーを検出する。即ち、図５（ａ）のように電子装置はユーザによって上下方向に（又は左右方向に）前面ディスプレーと裏面ディスプレーがひっくり返されることを検出する。
【００６７】
次に、電子装置はステップ９０４においてジェスチャーが検出される際、第１アプリケーションと関連する第２アプリケーションを実行して第１方向の第２スクリーンに表示する。
【００６８】
以上で、第３実施形態の手順を終了する。
【００６９】
図１０は、本発明の第４実施形態による両面ディスプレーを使用する電子装置のマルチタスキング制御フローチャートを示す図である。
【００７０】
図１０を参照すると、電子装置は、ステップ１０００において第１アプリケーションを実行中の第１スクリーンの第１方向を第２方向に反転させ、第２スクリーンの第２方向を第１方向に反転させるジェスチャーを検出する。即ち、図６（ａ）のように電子装置はユーザによって上下方向に（又は左右方向に）前面ディスプレーと裏面ディスプレーがひっくり返されることを検出する。
【００７１】
次に、電子装置は、ステップ１００２においてジェスチャーが検出される際、バックグラウンドで実行中のアプリケーションの個数を確認する。
【００７２】
次に、電子装置はステップ１００４においてバックグラウンドで実行中のアプリケーションの個数が一つである場合、ステップ１００６に進み、バックグラウンドで実行中のアプリケーションを第１方向の第２スクリーンに表示する。
【００７３】
一方、電子装置は、ステップ１００４においてバックグラウンドで実行中のアプリケーションの個数が一つではない場合、該当モードを実行する。例えば、電子装置は、該当モードで第２方向が第１方向に反転された第２スクリーンにアプリケーションリストを表示し、アプリケーションリストのうち一つのアプリケーションを選択するためのタッチを検出し、タッチされたアプリケーションを実行して第１方向の第２スクリーンに表示する。
【００７４】
次に、第４実施形態の手順を終了する。
【００７５】
図１１は、本発明の実施形態による電子装置の構成図である。
【００７６】
電子装置は、携帯用電子装置（ｐｏｒｔａｂｌｅ  ｅｌｅｃｔｒｏｎｉｃ  ｄｅｖｉｃｅ）であってもよく、携帯用端末機（ｍｏｂｉｌｅ  ｔｅｒｍｉｎａｌ）、モバイルパッド（ｍｏｂｉｌｅ  ｐａｄ）、メディアプレーヤー（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）又はＰＤＡ（Ｐｅｒｓｏｎａｌ  Ｄｉｇｉｔａｌ  Ａｓｓｉｓｔａｎｔ）のような装置であってもよい。また、このような装置のうち２つ以上の機能を結合した装置を含む任意の携帯用電子装置であってもよい。
【００７７】
図１１を参照すると、電子装置は、制御機１１００、スピーカ／マイクロフォン１１１０、カメラ１１２０、ＧＰＳ受信機１１３０、ＲＦ処理機１１４０、センサモジュール１１５０、２つのスクリーン１１６０，１１６１、スクリーン制御機１１６５、拡張メモリ１１７０を含んで構成される。
【００７８】
制御機１１００は、インタフェース１１０１、一つ以上のプロセッサ１１０２，１１０３、そして内部メモリ１１０４を含む。場合によっては、制御機１１００全体をプロセッサと称することもある。インタフェース１１０１、アプリケーションプロセッサ１１０２、通信プロセッサ１１０３、内部メモリ１１０４は別途の構成要素であってもよく、一つ以上の集積化された回路に集積化されてもよい。
【００７９】
アプリケーションプロセッサ１１０２は、様々なソフトウェアプログラムを実行して電子装置のための多様な機能を行い、通信プロセッサ１１０３は、音声通信及びデータ通信のための処理及び制御を行う。また、このような通常的な機能に加え、プロセッサ１１０２，１１０３は、拡張メモリ１１７０又は内部メモリ１１０４に記憶されている特定のソフトウェアモジュール（命令セット）を実行してそのモジュールに対応する特定の様々な機能を行う役割もする。即ち、プロセッサ１１０２，１１０３は、拡張メモリ１１７０又は内部メモリ１１０４に記憶されているソフトウェアモジュールと連動して本発明の両面ディスプレーを利用する電子装置におけるマルチタスキング制御方法（図７乃至図１０）を行う。
【００８０】
詳しくは、アプリケーションプロセッサ１１０２は、第１アプリケーションを実行中の第１スクリーン１１６５の第１方向を第２方向に反転させて第２スクリーン１１６１の第２方向を第１方向に反転させる第１ジェスチャーを検出し、即ち、図３Ａ（ａ）のようにユーザによって左右方向に前面ディスプレーと裏面ディスプレーがひっくり返されることを検出し、第１ジェスチャーが検出される際、図３Ａ（ｂ）のように第２方向が第１方向に反転された第２スクリーン１１６１に第１アプリケーションリストを表示し、第１アプリケーションリストのうち第２アプリケーションを選択するためのタッチを感知し、タッチされた第２アプリケーションを実行して第１方向の第２スクリーンに表示し、第２アプリケーションを実行中の第２スクリーンの第１方向を第２方向に反転させて第１スクリーンの第２方向を第１方向に反転させる第２ジェスチャーを検出し、第２ジェスチャーが検出される際、第２方向が第１方向に再反転された第１スクリーンに第２アプリケーションリストを表示する。第１及び第２アプリケーションリストは、バックグラウンドで実行中のアプリケーションを示すマルチタスキングリスト、以前に実行されていたアプリケーションを示すヒストリリスト、全体アプリケーションリストのうちの一つである。
【００８１】
別の実装として、アプリケーションプロセッサ１１０２は、第１アプリケーションを実行中の第１スクリーンの第１方向を第２方向に反転させて第２スクリーンの第２方向を第１方向に反転させる第１ジェスチャーを検出し、即ち、図４Ａ（ａ）のようにユーザによって左右方向に前面ディスプレーと裏面ディスプレーがひっくり返されることを検出し、第１ジェスチャーが検出される際、図４Ａ（ｂ）のように第２方向が第１方向に反転された第２スクリーンに第１アプリケーションリストを表示し、第１アプリケーションリストのうち第２アプリケーションを選択するためのタッチを感知し、タッチされた第２アプリケーションを実行して第１方向の第２スクリーンに表示し、第２アプリケーションを実行中の第２スクリーンの第１方向を第２方向に反転させて第１スクリーンの第２方向を第１方向に反転させる第２ジェスチャーを検出し、第２ジェスチャーが検出される際、以前に実行されていた第１アプリケーションを第１方向の第１スクリーンに表示する。
【００８２】
また、別の実装として、アプリケーションプロセッサ１１０２は、第１方向を介して、即ち、第１スクリーンを介して第１アプリケーションを実行し、第１アプリケーションを実行中の第１スクリーンの第１方向を第２方向に反転させて第２スクリーンの第２方向を第１方向に反転させるジェスチャーを検出し、図５（ａ）のように、電子装置は、ユーザによって上下方向に（又は左右方向に）前面ディスプレーと裏面ディスプレーがひっくり返されることを検出し、ジェスチャーが検出される際、第１アプリケーションと関連する第２アプリケーションを実行して第１方向の第２スクリーンに表示する。
【００８３】
更に別の実装として、アプリケーションプロセッサ１１０２は、第１アプリケーションを実行中の第１スクリーンの第１方向を第２方向に反転させて第２スクリーンの第２方向を第１方向に反転させるジェスチャーを検出し、即ち、図６（ａ）のように、電子装置は、ユーザによって上下方向に（又は左右方向に）前面ディスプレーと裏面ディスプレーがひっくり返されることを検出し、ジェスチャーが検出される際、バックグラウンドで実行中のアプリケーションの個数を確認し、バックグラウンドで実行中のアプリケーションの個数が一つである場合、バックグラウンドで実行中のアプリケーションを第１方向の第２スクリーンに表示する。一方、アプリケーションプロセッサ１１０２は、バックグラウンドで実行中のアプリケーションの個数が一つではない場合、該当モードを実行する。例えば、アプリケーションプロセッサ１１０２は、該当モードで第２方向が第１方向に反転された第２スクリーンにアプリケーションリストを表示し、アプリケーションリストのうち一つのアプリケーションを選択するためのタッチを検出し、タッチされたアプリケーションを実行して第１方向の第２スクリーンに表示する。
【００８４】
インタフェース１１０１は、電子装置のスクリーン制御機１１６５及び拡張メモリ１１７０と接続する。
【００８５】
センサモジュール１１５０は、インタフェース１１０１に接続されて様々な機能を実行することができる。例えば、６軸センサがインタフェース１１０１に接続されて、各々の電子装置の動作を感知したり、光検出センサがインタフェース１１０１に接続されて、外部からの光を感知したりすることができる。例えば、センサモジュール１１５０は、６軸センサを利用して第１スクリーン１１６０と第２スクリーン１１６１の方向を検出する。
【００８６】
カメラ１１２０は、インタフェース１１０１を介してセンサモジュール１１５０と接続し、写真及びビデオクリップレコーディングのようなカメラ機能を実行する。
【００８７】
ＲＦ処理機１１４０は、通信機能を実行する。例えば、通信プロセッサ１１０３の制御下で、ＲＦ信号を基底帯域信号に変換して通信プロセッサ１１０３に提供するか、通信プロセッサ１１０３からの基底帯域信号をＲＦ信号に変換して送信する。ここで、通信プロセッサ１１０３は、多様な通信方式に基底帯域信号を処理する。例えば、通信方式は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式、ＥＧＤＥ（Ｅｎｈａｎｃｅｄ  Ｄａｔａ  ＧＳＭ（登録商標）  Ｅｎｖｉｒｏｎｍｅｎｔ）通信方式、ＣＤＭＡ（Ｃｏｄｅ  Ｄｉｖｉｓｉｏｎ  Ｍｕｌｔｉｐｌｅ  Ａｃｃｅｓｓ）通信方式、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）通信方式、ＬＴＥ（Ｌｏｎｇ  Ｔｅｒｍ  Ｅｖｏｌｕｔｉｏｎ）通信方式、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）通信方式、Ｗｉ−Ｆｉ（Ｗｉｒｅｌｅｓｓ  Ｆｉｄｅｌｉｔｙ）通信方式、ＷｉＭａｘ通信方式又は／及びＢｌｕｅｔｏｏｔｈ（登録商標）通信方式を含む。なお、通信方式は、以上に限られない。
【００８８】
スピーカ／マイクロフォン１１１０は、音声認識、音声複製、デジタルレコーディング（ｒｅｃｏｒｄｉｎｇ）及び電話機能のようなオーディオストリームの入出力を担う。即ち、スピーカ／マイクロフォン１１１０は、音声信号を電気信号に変換するか電気信号を音声信号に変換する。図示していないが、脱着可能な（ａｔｔａｃｈａｌｂｅ  ａｎｄ  ｄｅｔａｃｈａｂｌｅ）イヤホン（ｅａｒ  ｐｈｏｎｅ）、ヘッドフォン（ｈｅａｄ  ｐｈｏｎｅ）又はヘッドセット（ｈｅａｄ  ｓｅｔ）が外部ポートを介して電子装置に接続されてもよい。
【００８９】
スクリーン制御機１１６５は、第１及び第２スクリーン１１６０、１１６１に接続される。第１及び第２スクリーン１１６０、１１６１及びスクリーン制御機１１６５は、それぞれのスクリーン１１６０、１１６１との一つ以上の接点を決定するための容量性、抵抗性、赤外線及び表面音響波技術だけでなく、その他の近接センサ配列又はその他の要素を含む任意のマルチタッチ感知技術を利用して、第１及び第２スクリーン１１６０、１１６１への接触、タッチ動作又はそれらの中断を検出する。なお、第１及び第２スクリーン１１６０、１１６１及びスクリーン制御機１１６５は、上述した以外のユーザのジェスチャーを検出してもよい。
【００９０】
スクリーン１１６０，１１６１は、電子装置とユーザとの間に入出力インタフェースを提供する。即ち、スクリーン１１６０，１１６１は、ユーザのタッチ入力を電子装置に伝達する。また、電子装置からの出力をユーザに示す媒体である。即ち、スクリーン１１６０，１１６１は、ユーザに視覚的な出力を示す。このような視覚的な出力（ｖｉｓｕａｌ  ｏｕｔｐｕｔ）は、テキスト（ｔｅｘｔ）、グラフィック（ｇｒａｐｈｉｃ）、ビデオ（ｖｉｄｅｏ）とそれらの組み合わせの形で表示される。
【００９１】
スクリーン１１６０，１１６１としては、多様なディスプレーが使用される。例えば、これに限らないが、ＬＣＤ（Ｌｉｑｕｉｄ  Ｃｒｙｓｔａｌ  Ｄｉｓｐｌａｙ  ｄｅｖｉｃｅ）、ＬＥＤ（Ｌｉｇｈｔ  Ｅｍｉｔｔｉｎｇ  Ｄｉｏｄｅ）、ＬＰＤ（Ｌｉｇｈｔ  Ｅｍｉｔｔｉｎｇ  Ｐｏｌｙｍｅｒ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ）又はＦＬＥＤ（Ｆｌｅｘｉｂｌｅ  ＬＥＤ）などを使用してもよい。
【００９２】
ＧＰＳ受信機１１３０は、人工衛星から受けた信号を位置、速度、時間などの情報に変換する。例えば、衛星とＧＰＳ受信機間の距離は、光の速度に信号到達時間をかけると計算され、３つの衛星の正確な位置と距離を求めて公知の三角測量の原理で電子装置の位置が測定される。
【００９３】
拡張メモリ１１７０又は内部メモリ１１０４は、一つ以上の磁気ディスク記憶装置のような高速ランダムアクセスメモリ及び／又は非揮発性メモリ、一つ以上の光記憶装置及び／又はフラッシュメモリ（例えば、ＮＡＮＤ、ＮＯＲ）を含む。
【００９４】
拡張メモリ１１７０又は内部メモリ１１０４は、ソフトウェアを記憶する。ソフトウェア構成要素はオペレーティングシステム（ｏｐｅｒａｔｉｏｎ  ｓｙｓｔｅｍ：ＯＳ）ソフトウェアモジュール、通信ソフトウェアモジュール、グラフィックソフトウェアモジュール、ユーザインタフェースソフトウェアモジュール及びＭＰＥＧモジュール、カメラソフトウェアモジュール、一つ以上のアプリケーションソフトウェアモジュールなどを含む。また、ソフトウェア構成要素であるモジュールは命令の集合で表現してもよいため、モジュールは命令セット（ｉｎｓｔｒｕｃｔｉｏｎ  ｓｅｔ）と表現されてもよい。モジュールまた、プログラムと表現されることもある。
【００９５】
ＯＳソフトウェアは、一般的なシステム管理（ｓｙｓｔｅｍ  ｏｐｅｒａｔｉｏｎ）を制御する様々なソフトウェア構成要素を含む。このような一般的なシステム管理の制御とは、例えば、メモリの管理及び制御、記憶ハードウェア（装置）の制御及び管理、電力制御及び管理などを意味する。このようなＯＳソフトウェアは、様々なハードウェア（装置）とソフトウェア構成要素（モジュール）との間の通信を円滑にする機能を行う。
【００９６】
通信ソフトウェアモジュールは、ＲＦ処理機１１４０を介してコンピュータ、サーバー及び／又は携帯用端末機など他の電子装置との通信を可能にする。そして、通信ソフトウェアモジュールは該当通信方式に当たるプロトコルをサポートする。
【００９７】
グラフィックソフトウェアモジュールは、スクリーン１１６０にグラフィックを提供し表示するための様々なソフトウェア構成要素を含む。グラフィック（ｇｒａｐｈｉｃｓ）という用語はテキスト（ｔｅｘｔ）、ウェブページ（ｗｅｂ  ｐａｇｅ）、アイコン（ｉｃｏｎ）、デジタルイメージ（ｄｉｇｉｔａｌ  ｉｍａｇｅ）、ビデオ（ｖｉｄｅｏ）、アニメーション（ａｎｉｍａｔｉｏｎ）などを含む意味である。
【００９８】
ユーザインタフェースソフトウェアモジュールは、ユーザインタフェースに関する様々なソフトウェア構成要素を含む。ユーザインタフェースの状態がどのように変更されるのか又はユーザインタフェースの状態変更がどのような条件で行われるのかなどに対する内容を含む。
【００９９】
カメラソフトウェアモジュールは、カメラ関連プロセス及び機能を可能にするカメラ関連ソフトウェア構成要素を含む。アプリケーションモジュールは、レンダリングエンジンを含むウェブブラウザ（ｂｒｏｗｓｅｒ）、電子メール（ｅｍａｉｌ）、インスタントメッセージ（ｉｎｓｔａｎｔ  ｍｅｓｓａｇｅ）、ワードプロセッシング（ｗｏｒｄ  ｐｒｏｃｅｓｓｉｎｇ）、キーボードエミュレーション（ｋｅｙｂｏａｒｄ  ｅｍｕｌａｔｉｏｎ）、アドレスブック（ａｄｄｒｅｓｓ  ｂｏｏｋ）、タッチリスト（ｔｏｕｃｈ  ｌｉｓｔ）、ウィジェット（ｗｉｄｇｅｔ）、デジタル著作権管理（ＤＲＭ，Ｄｉｇｉｔａｌ  Ｒｉｇｈｔ  Ｍａｎａｇｅｍｅｎｔ）、音声認識（ｖｏｉｃｅ  ｒｅｃｏｇｎｉｔｉｏｎ）、音声複製、位置決定機能（ｐｏｓｉｔｉｏｎ  ｄｅｔｅｒｍｉｎｉｎｇ  ｆｕｎｃｔｉｏｎ）、位置基盤サービス（ｌｏｃａｔｉｏｎ  ｂａｓｅｄ  ｓｅｒｖｉｃｅ）などを含む。メモリ１１７０，１１０４は上述したモジュール以外にも追加的なモジュール（命令）を含む。又は、必要に応じて一部のモジュール（命令）を使用しなくてもよい。
【０１００】
本発明について、アプリケーションモジュールは、マルチタスキング制御のための命令（図１０乃至図１１を参照）を含む。
【０１０１】
詳しくは、アプリケーションプモジュールは、第１アプリケーションを実行中の第１スクリーン１１６５の第１方向を第２方向に反転させて第２スクリーン１１６１の第２方向を第１方向に反転させる第１ジェスチャーを検出し、即ち、図３Ａ（ａ）のようにユーザによって左右方向に前面ディスプレーと裏面ディスプレーがひっくり返されることを検出し、第１ジェスチャーが検出される際、図３Ａ（ｂ）のように第２方向が第１方向に反転された第２スクリーン１１６１に第１アプリケーションリストを表示し、第１アプリケーションリストのうち第２アプリケーションを選択するためのタッチを感知し、タッチされた第２アプリケーションを実行して第１方向の第２スクリーンに表示し、第２アプリケーションを実行中の第２スクリーンの第１方向を第２方向に反転させて第１スクリーンの第２方向を第１方向に反転させる第２ジェスチャーを検出し、第２ジェスチャーが検出される際、第２方向が第１方向に再反転された第１スクリーンに第２アプリケーションリストを表示する命令を含む。第１及び第２アプリケーションリストは、バックグラウンドで実行中のアプリケーションを示すマルチタスキングリスト、以前に実行されていたアプリケーションを示すヒストリリスト、全体アプリケーションリストのうちの一つである。
【０１０２】
別の実装として、アプリケーションモジュールは、第１アプリケーションを実行中の第１スクリーンの第１方向を第２方向に反転させて第２スクリーンの第２方向を第１方向に反転させる第１ジェスチャーを検出し、即ち、図４Ａ（ａ）のようにユーザによって左右方向に前面ディスプレーと裏面ディスプレーがひっくり返されることを検出し、第１ジェスチャーが検出される際、図４Ａ（ｂ）のように第２方向が第１方向に反転された第２スクリーンに第１アプリケーションリストを表示し、第１アプリケーションリストのうち第２アプリケーションを選択するためのタッチを感知し、タッチされた第２アプリケーションを実行して第１方向の第２スクリーンに表示し、第２アプリケーションを実行中の第２スクリーンの第１方向を第２方向に反転させて第１スクリーンの第２方向を第１方向に反転させる第２ジェスチャーを検出し、第２ジェスチャーが検出される際、以前に実行されていた第１アプリケーションを第１方向の第１スクリーンに表示する命令を含む。
【０１０３】
また別の実装として、アプリケーションモジュールは、第１方向を介して、即ち、第１スクリーンを介して第１アプリケーションを実行し、第１アプリケーションを実行中の第１スクリーンの第１方向を第２方向に反転させて第２スクリーンの第２方向を第１方向に反転させるジェスチャーを検出し、図５（ａ）のように電子装置はユーザによって上下方向に（又は左右方向に）前面ディスプレーと裏面ディスプレーがひっくり返されることを検出し、ジェスチャーが検出される際、第１アプリケーションに関する第２アプリケーションを実行して第１方向の第２スクリーンに表示する命令を含む。
【０１０４】
更に別の実装として、アプリケーションモジュールは、第１アプリケーションを実行中の第１スクリーンの第１方向を第２方向に反転させて第２スクリーンの第２方向を第１方向に反転させるジェスチャーを検出し、即ち、図６（ａ）のように電子装置はユーザによって上下方向に（又は左右方向に）前面ディスプレーと裏面ディスプレーがひっくり返されることを検出し、ジェスチャーが検出される際、バックグラウンドで実行中のアプリケーションの個数を確認し、バックグラウンドで実行中のアプリケーションの個数が一つである場合、バックグラウンドで実行中のアプリケーションを第１方向の第２スクリーンに表示する命令を含む。一方、アプリケーションプロセッサ１１０２は、バックグラウンドで実行中のアプリケーションの個数が一つではない場合、該当モードを実行する。例えば、アプリケーションプロセッサ１１０２は、該当モードで第２方向が第１方向に反転された第２スクリーンにアプリケーションリストを表示し、アプリケーションリストのうち一つのアプリケーションを選択するためのタッチを検出し、タッチされたアプリケーションを実行して第１方向の第２スクリーンに表示する命令を更に含む。
【０１０５】
本発明の請求項及び／又は明細書に記載された実施形態による方法は、ハードウェア、ソフトウェア又はハードウェアとソフトウェアを組み合わせた形態で実装される（ｉｍｐｌｅｍｅｎｔｅｄ）。
【０１０６】
ソフトウェアとして実装される場合、一つ以上のプログラム（ソフトウェアモジュール）を記憶するコンピュータで判読可能な記憶媒体が提供される。コンピュータで判読可能な記憶媒体に記憶される一つ以上のプログラムは、電子装置（ｄｅｉｖｅｃｅ）内の一つ以上のプロセッサによって実行可能に構成される（ｃｏｎｆｉｇｕｒｅｄ  ｆｏｒ  ｅｘｅｃｕｔｉｏｎ）一つ以上のプログラムは、電子装置に本発明の請求項及び／又は明細書に記載された実施形態による方法を実行するようにする命令（ｉｎｓｔｒｕｃｔｉｏｎｓ）を含む。
【０１０７】
このようなプログラム（ソフトウェアモジュール、ソフトウェア）は、ＲＡＭ（Ｒａｎｄｏｍ  Ａｃｃｅｓｓ  Ｍｅｍｏｒｙ）、フラッシュ（ｆｌａｓｈ）メモリを含む不揮発性（ｎｏｎ−ｖｏｌａｔｉｌｅ）メモリ、ＲＯＭ（Ｒｅａｄ  Ｏｎｌｙ  Ｍｅｍｏｒｙ）、ＥＥＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク記憶装置（ｍａｇｎｅｔｉｃ  ｄｉｓｃ  ｓｔｏｒａｇｅ  ｄｅｖｉｃｅ）、ＣＤ−ＲＯＭ（Ｃｏｍｐａｃｔ  Ｄｉｓｃ−ＲＯＭ）、デジタル多目的ディスク（ＤＶＤｓ，Ｄｉｇｉｔａｌ  Ｖｅｒａｔｉｌｅ  Ｄｉｓｃｓ）又は他の形の光学記憶装置、マグネチックカセット（ｍａｇｎｅｔｉｃ  ｃａｓｓｅｔｔｅ）に記憶される。又は、それらの一部或いは全部の組み合わせで構成されたメモリに記憶されてもよい。又は、それぞれの構成メモリは多数個含まれてもよい。
【０１０８】
また、プログラムはインターネット（Ｉｎｔｅｒｎｅｔ）、イントラネット（Ｉｎｔｒａｎｅｔ）、ＬＡＮ（Ｌｏｃａｌ  Ａｒｅａ  Ｎｅｔｗｏｒｋ）、ＷＬＡＮ（Ｗｉｄｅ  ＬＡＮ）又はＳＡＮ（Ｓｔｏｒａｇｅ  Ａｒｅａ  Ｎｅｔｗｏｒｋ）のような通信ネットワーク又はそれらの組み合わせで構成された通信ネットワークを介してアクセス（ａｃｃｅｓｓ）可能で着脱可能な（ａｔｔａｃｈａｂｌｅ）記憶装置（ｓｔｏｒａｇｅ  ｄｅｖｉｃｅ）に記憶されてもよい。このような記憶装置は、外部ポートを介して電子装置に接続される。
【０１０９】
また、通信ネットワーク上の別途の記憶装置が携帯用電子装置に接続されてもよい。
【０１１０】
上述したように、両面ディスプレーを使用するマルチタスキング技術を提供することでユーザが両面ディスプレーを利用して２つ以上の作業を便利に行うことができる利点がある。
前記の本発明の実施例において、スクリーンは、例えば、タッチスクリーンでもよい。また、本発明の実施例においての両面ディスプレーは透明、あるいは、不透明のディスプレーであってもよい。
【０１１１】
また、簡単なジェスチャーを介してユーザが第１ディスプレーから第２ディスプレーに容易に画面を移動させてマルチタスキング作業を行うことができる。
一方、本発明の詳細な説明では具体的な実施形態について説明したが、本発明の範囲を逸脱しない範囲内で多様な変形が可能であることはもちろんである。よって、本発明の技術的範囲は説明された実施形態に限って決められてはならず、後述する特許請求の範囲だけでなく、この特許請求の範囲と均等なものによって決められるべきである。
【図１】
2014139785.tif 000003
【図２Ａ】
2014139785.tif 000004
【図２Ｂ】
2014139785.tif 000005
【図３Ａ】
2014139785.tif 000006
【図３Ｂ】
2014139785.tif 000007
【図４Ａ】
2014139785.tif 000008
【図４Ｂ】
2014139785.tif 000009
【図５】
2014139785.tif 000010
【図６】
2014139785.tif 000011
【図７】
2014139785.tif 000012
【図８】
2014139785.tif 000013
【図９】
2014139785.tif 000014
【図１０】
2014139785.tif 000015
【図１１】
2014139785.tif 000016